(57)【特許請求の範囲】
【請求項１】
医療用診療台の近傍に配置される医療用顕微鏡装置において、
鉛直な円柱形固定支軸に同心的に嵌装接続される接続部材と、該接続部材に水平旋回可能に支持されるハンガーアームと、該ハンガーアームの先端に取付けられる顕微鏡本体とを含み、
前記固定支軸と接続部材との嵌装部分には転がり軸受が介在され、且つ、前記接続部材は、回り止め部材によって、固定支軸に対する相対軸心回転が阻止されるよう構成されており、
前記回り止め部材が、前記接続部材と固定支軸とに跨って装着されるストッパ部材を含み、前記ストッパ部材の前記接続部材に対する装着部には、弾性緩衝部材が取付けられていることを特徴とする医療用顕微鏡装置。
【請求項２】
請求項１に記載の医療用顕微鏡装置において、
前記回り止め部材が、前記ストッパ部材と、前記固定支軸の周面に圧接されるブレーキ部材とからなることを特徴とする医療用顕微鏡装置。
【請求項３】
請求項２に記載の医療用顕微鏡装置において、
前記ブレーキ部材が、当該ブレーキ部材の先端部が固定支軸の周面に当該先端部よりやや径大に形成された座ぐり部に嵌り込む構成とされて前記接続部材と固定支軸とに跨って装着されるストッパ機能部を更に備えていることを特徴とする医療用顕微鏡装置。
【請求項４】
請求項２または３に記載の医療用顕微鏡装置において、
前記ブレーキ部材が、前記固定支軸の周面に対する圧接度合いを調整する調整手段を備えていることを特徴とする医療用顕微鏡装置。
【請求項５】
請求項１乃至４のいずれか１項に記載の医療用顕微鏡装置において、
前記転がり軸受が、深溝ラジアル玉軸受であることを特徴とする医療用顕微鏡装置。
【請求項６】
請求項１乃至５のいずれか１項に記載の医療用顕微鏡装置において、
前記固定支軸が、前記医療用診療台に立設される垂直支柱、該医療用診療台が設置される診療室の天井から垂下される垂直支柱、該診療室の床面上に移動自在に配備される移動備品に設けられる垂直支柱、及び、該診療室の壁面に取付けられる取付部材のいずれかに設けられていることを特徴とする医療用顕微鏡装置。
【請求項７】
医療用診療台を含む医療用診療装置において、
前記医療用診療台の近傍に、請求項１乃至６のいずれか１項に記載の医療用顕微鏡装置が配置されていることを特徴とする医療用診療装置。
【請求項８】
請求項７に記載の医療用診療装置において、
前記固定支軸が、前記医療用診療台の側部に一体に固定された垂直支柱に設けられていることを特徴とする医療用診療装置。
【発明の詳細な説明】
【技術分野】
【０００１】
本発明は、医療用顕微鏡装置及び医療用診療装置に係り、例えば、歯科用診療台の近傍に配置される歯科用顕微鏡装置とこの歯科用顕微鏡装置を備える歯科用診療装置に関するものである。
【背景技術】
【０００２】
近時、歯科の診療においても、歯科用診療台の近傍に顕微鏡装置を配置して、診療精度をより高めるようにした歯科用診療装置が多く採用されるようになった（特許文献１〜３参照）。特許文献１〜３には、歯科用診療台の側部に設けられるアームや支柱に支持されるハンガーアームと、該ハンガーアームの先端に取付けられる顕微鏡本体とから構成される顕微鏡装置が開示されている。
また、特許文献４には、防震架台に支持される天吊式手術用顕微鏡が開示されている。更に、特許文献５には、架台のアームの先端に保持されて使用された場合に、観察者の目に識別可能な程度の像ブレが生じる蓋然性の高い顕微鏡に、像ブレを防ぐための機構を組み込んだ防振顕微鏡が開示されている。
【先行技術文献】
【特許文献】
【０００３】
【特許文献１】特開２００３−５２７１８号公報
【特許文献２】特開２０１０−２５３０８７号公報
【特許文献３】特開２０１１−７２７２７号公報
【特許文献４】特開２０１０−１１５２８７号公報
【特許文献５】特開２００２−９０６５０号公報
【発明の概要】
【発明が解決しようとする課題】
【０００４】
ところで、特許文献１〜３に開示されたような顕微鏡装置を備えた歯科用診療装置の場合、歯科用診療台の側部に直接或いはスピットン装置を介して一体に設けられたアームや支柱に支持されている。そのため、診療台を昇降させ、或いは、無影灯（デンタルライト）やインスツルメント類を操作すると、アームや支柱を介して顕微鏡本体に振動が伝達し、その間は、顕微鏡による正確な患部の観察診療を行うことができなくなる。顕微鏡は、細部の対象を拡大して観察するものであるから、わずかな振動でも観察視野に大きな影響を及ぼす。特に、前記支柱は診療台に一体とされたスピットン装置に設けられ、該支柱が無影灯の支柱を兼ねていたり、スピットン装置にアシスタント用のインスツルメントホルダが設けられていたりすると、アシスタントの無影灯やインスツルメントの操作によって、顕微鏡本体が不意に振動し、術者はこれによってフラストレーションが溜まって正常な診療を行えなくなる事態も生じる。このような振動は、顕微鏡本体を位置付け操作する際にも生じ、しかも、一旦振動が発生すると、直ぐには治まらず、これによって診療効率が阻害されることもある。
【０００５】
前記のような顕微鏡本体の振動は、診療台に設けられている場合に限られず、診療室の天井に設けられている場合、壁面に設けられている場合、或いは、床面を移動自在に配備される移動備品に設けられている場合であっても、人の動きや各種機器（例えば、エアコン等）の作動等の周囲環境によって発生することもある。特許文献１〜３には、このような振動を防止する機構について、特に言及されていない。特許文献４には、天吊式手術用顕微鏡の除震架台が開示されているが、天井裏に大掛かりな装置を組込む必要があり、実用化の面で難点があった。さらに、特許文献５に開示された防振顕微鏡は、顕微鏡光学系の傾斜を測定するセンサ、顕微鏡光学系の移動を検出するセンサ、顕微鏡光学系内を進行する被写体光を所望の方向へ所望の角度で偏向する偏向手段等によって構成される。この場合、防振構成が複雑であり、また、マイクロモータを用いてフィードバック情報を管理する必要もあるため、コストが高くなることは避けられなかった。
【０００６】
本発明は、このような実情に鑑みなされたもので、簡単且つ安価に実現できる防振機能を備えた医療用顕微鏡装置と、これを備えた医療用診療装置を提供することを目的とする。
【課題を解決するための手段】
【０００７】
第１の発明に係る医療用顕微鏡装置は、医療用診療台の近傍に配置される医療用顕微鏡装置において、鉛直な円柱形固定支軸に同心的に嵌装接続される接続部材と、該接続部材に水平旋回可能に支持されるハンガーアームと、該ハンガーアームの先端に取付けられる顕微鏡本体とを含み、前記固定支軸と接続部材との嵌装部分には転がり軸受が介在され、且つ、前記接続部材は、回り止め部材によって、固定支軸に対する相対軸心回転が阻止されるよう構成されており、前記回り止め部材が、前記接続部材と固定支軸とに跨って装着されるストッパ部材を含み、前記ストッパ部材の前記接続部材に対する装着部には、弾性緩衝部材が取付けられていることを特徴とする。
【０００８】
本発明の医療用顕微鏡装置において、前記回り止め部材が、ブレーキ部材及び前記ストッパ部材の両部材からなるであっても良い。前記ブレーキ部材は、前記接続部材と固定支軸とに跨って装着されるストッパ機能部を更に備えているものであっても良い。また、前記ストッパ部材の前記接続部材に対する装着部には、弾性緩衝部材が取付けられていても良い。また、前記ブレーキ部材は、前記固定支軸の周面に対する圧接度合いを調整する調整手段を備えていても良い。
【０００９】
本発明の医療用顕微鏡装置において、前記転がり軸受が、深溝ラジアル玉軸受であっても良い。また、前記固定支軸が、前記医療用診療台に立設される垂直支柱、該医療用診療台が設置される診療室の天井から垂下される垂直支柱、該診療室の床面上に移動自在に配備される移動備品に設けられる垂直支柱、及び、該診療室の壁面に取付けられる取付部材のいずれかに設けられていても良い。
【００１０】
第２の発明に係る医療用診療装置は、医療用診療台を含む医療用診療装置であって、前記医療用診療台の近傍に、前記いずれかの医療用顕微鏡装置が配置されていることを特徴とする。
本発明の医療用診療装置において、前記固定支軸が、前記医療用診療台の側部に一体に固定された垂直支柱に設けられているものとしても良い。
【発明の効果】
【００１１】
第１の発明に係る医療用顕微鏡装置及び第２の発明に係る医療用診療装置によれば、術者は、ハンガーアームを水平旋回させて該ハンガーアームに支持された顕微鏡本体を適正位置に位置付け、医療用診療台の上の患者の患部を、顕微鏡本体をとおして観察することができる。この時、前記固定支軸には前述のような周囲環境による様々な振動が伝達されるが、該固定支軸と前記接続部材とは転がり軸受を介して同心的な嵌装接続状態とされているから、転がり軸受を構成する転動体の軌道面間での相互の転動作用により、前記振動がハンガーアームを通じて顕微鏡本体に伝達することが緩和される。従って、術者は振動によって煩わされることなく、患部の顕微鏡観察診療を精度よく実施することができる。また、前記接続部材は、回り止め部材によって、固定支軸に対する相対軸心回転が阻止されるよう構成されているから、前記転がり軸受による作用とも相俟って、前記振動の伝達の防止がより的確になされる。加えて、術者自らが顕微鏡本体を位置決め操作した後の顕微鏡本体及びハンガーアームの惰性的動きも、回り止め部材によって速やかに静止され、顕微鏡観察を含む診療作業全体の効率化が図られる。
【００１２】
前記回り止め部材が、前記接続部材と固定支軸とに跨って装着されるストッパ部材を含むので、接続部材の固定支軸に対する相互回転及び前記惰性的動きが確実に阻止され、前記転がり軸受による振動伝達防止機能がより的確に発揮される。この場合、ストッパ部材の前記接続部材に対する装着部に、弾性緩衝部材が取付けられているものとすれば、固定支軸とストッパ部材との相互の当止関係によって、固定支軸の前記振動がストッパ部材に伝達しても、弾性緩衝部材によってこの伝達が吸収され、接続部材及びハンガーアームを介して顕微鏡本体に伝達されることがない。
【００１３】
また、前記回り止め部材が、前記接続部材に装着され、前記固定支軸の周面に圧接されるブレーキ部材からなる場合、ストッパ部材と同様に、接続部材の固定支軸に対する相互回転及び前記惰性的動きが確実に阻止され、前記転がり軸受による振動伝達防止機能がより的確に発揮される。この場合、ブレーキ作用によって、急激な回り止めがなされず、ハンガーアームを水平旋回させるような操作の際の馴染み性が良くなる。そして、ストッパ部材とブレーキ部材とを併用して、これを回り止め部材とすれば、両者の相乗効果が得られる。或いは、ブレーキ部材が、ストッパ機能部を更に備えているものとすれば、同様の相乗効果が得られる。
【００１４】
前記転がり軸受を、深溝ラジアル玉軸受とした場合、円柱形の固定支軸の周面（ラジアル面）と、接続部材の円筒形内周面（ラジアル面）との間に当該軸受が介在され、前記軌道面間の転動体の転動作用によって前記振動伝達防止機能がより効果的に発揮される。しかも、深溝であることから、転動体が安定的に保持され、固定支軸と接続部材との鉛直方向での嵌装関係が安定化し、これが振動防止性をより向上させる。
【００１５】
また、前記固定支軸は、前記医療用診療台に立設される垂直支柱、該医療用診療台が設置される診療室の天井から垂下される垂直支柱、該診療室の床面上に移動自在に配備される移動備品に設けられる垂直支柱、及び、該診療室の壁面に取付けられる取付部材のいずれかに設けることができる。従って、医療用診療装台及びこれが設置される診療室の仕様に応じて、当該顕微鏡装置の配置レイアウトを設定することができ、いずれの場合でも、前記防振機能が発揮され、精度良く、術者がフラストレーションを持つことなく、且つ効率的な顕微鏡観察診療を実施することができる。
特に、第２の発明に係る医療用診療装置おいて、前記固定支軸が、前記医療用診療台の側部に一体に固定された垂直支柱に設けられているものとした場合でも、医療用診療台による医療用顕微鏡装置への振動の影響が抑制されるから、医療用診療台及び医療用顕微鏡装置を含む医療用診療装置のシステム化を図る上で有効である。
【図面の簡単な説明】
【００１６】
【図１】本発明の医療用診療装置の一例を示す概略的斜視図である。
【図２】同医療用診療装置を構成する医療用顕微鏡装置の第１の実施形態を示す正面図である。
【図３】図２におけるＡ部の拡大断面図である。
【図４】図３におけるＢ部の拡大図である。
【図５】図４に示すブレーキ部材（回り止め部材）の分解斜視図である。
【図６】図３におけるＣ部の拡大図である。
【図７】図６に示すストッパ部材（回り止め部材）の分解斜視図である。
【図８】回り止め部材の他の実施形態を示す図４と同様図である。
【図９】図８に示す回り止め部材を用いた場合の固定支軸と接続部材との嵌装接続構造の一例を示す分解図である。
【図１０】医療用顕微鏡装置の第２の実施形態を示す正面図と、固定支軸と接続部材との嵌装接続構造を示す分解拡大図である。
【図１１】医療用顕微鏡装置の第３の実施形態を示す正面図である。
【図１２】医療用顕微鏡装置の第４の実施形態を示す正面図である。
【発明を実施するための形態】
【００１７】
以下、本発明の医療用顕微鏡装置とこれを備える医療用診療装置の実施の形態について図面に基づき説明する。図１は、歯科用（医療用）診療装置１を示し、歯科用（医療用）診療台２の近傍に、歯科用（医療用）顕微鏡装置３が配置されている。歯科用診療台（以下、診療台と略称する）２の側部には、スピットン装置４が一体に付設され、また、このスピットン装置４とは反対側の診療台２の側部には、ドクター用トレー５が水平移動可能に取付られている。図例のドクター用トレー５は、薬品や器具等を載せ、或いは充填物の調合作業等のためのテーブル５１と、該テーブル５１の側部に設けられた操作パネル５２と、主にドクターが使用する各種インスツルメント５３…を取出し自在に保持する複数のインスツルメントホルダ５４…を備えている。前記スピットン装置４には、垂直（鉛直）支柱４０が一体に設けられ、これにより、該垂直支柱４０は実質的に診療台２の側部に一体に設けられている。該垂直支柱４０には、本発明に係る歯科用顕微鏡装置３と、無影灯装置６とが、水平方向及び上下方向の移動が可能に支持されている。無影灯装置６は、前記垂直支柱４０に水平旋回可能に支持される多関節のハンガーアーム６０と、該ハンガーアーム６０の先端に首振り自在に取付けられる無影灯６１とよりなる。ハンガーアーム６０を構成する複数のアームは、互いに水平旋回及び上下揺動可能に連結され、先端の無影灯６１が所望の位置に位置付けられるよう構成されている。
【００１８】
前記垂直支柱４０の途中には、カルテ情報や、本発明に係る顕微鏡装置３による観察映像等を表示して、診療台２上の患者にカウンセリングするため等に用いられるディスプレイ装置７が取付けられている。前記診療台２の近傍の床面には、ドクターやアシスタントが、前記診療台２を昇降や傾動をさせるため、或いは、各種インスツルメント５３を駆動制御するためのフートコントローラ８が設置されている。前記スピットン装置４は、スピットン装置本体４１と、該スピットン装置本体４１の上面部に設置されるベースン４２と、給水栓４３とよりなる。前記垂直支柱４０は、このスピットン装置本体４１に一体に立設され、図例のスピットン装置本体４１には、アシスタント用のトレー付インスツルメントホルダ９が伸縮アーム９０を介して引き出し自在に装備されている。該インスツルメントホルダ９には、主にアシスタントが使用する各種インスツルメント９１…が取出し自在に保持されている。
【００１９】
前記垂直支柱４０の上端には、図２に示すように円柱形の固定支軸１０が一体に固着されている。前記固定支軸１０に接続部材１１が嵌装接続され、該接続部材１１に歯科用顕微鏡装置３を構成するハンガーアーム３０が、垂直軸心ａ回りに水平旋回可能に支持されている。歯科用顕微鏡装置３は、ハンガーアーム３０とその先端に取付けられた顕微鏡本体３１とより構成される。ハンガーアーム３０は、第１アーム３０ａ、第２アーム３０ｂ及び第３アーム３０ｃからなる多関節アームによって構成されている。第１アーム３０ａは、前記のとおり、接続部材１１に垂直軸心ａの回りに水平旋回可能に支持され、第２アーム３０ｂは、第１アーム３０ａの先端に垂直軸心ｂの回りに水平旋回可能に支持されている。第３アーム３０ｃは、前記第２アーム３０ｂに、内蔵される平行リンク機構３０ｄを介して第２アーム３０ｂと共に上下揺動（矢印ｄ参照）可能に接続され、且つ垂直軸心ｃの回りに水平旋回可能に支持されている。そして、第３アーム３０ｃの先端には、前記顕微鏡本体３１が、水平支軸３１ａを介して矢印ｅに示すように上下首振り可能に支持されている。このようなハンガーアーム３０の構成及び顕微鏡本体３１の支持構造によって、診療台２上の患者の口腔内を観察し得る適正位置に顕微鏡本体３１を位置付けることができる。
【００２０】
次に、固定支軸１０と接続部材１１との嵌装接続構造の詳細について、図３〜図７も参照して詳細に説明する。前記垂直支柱４０の上端には中空の円柱形固定支軸１０が嵌合一体に固着されている。接続部材１１は、転がり軸受１２，１２を介して固定支軸１０に同心的に嵌装される円筒部１１０と、前記第１アーム３０ａを水平旋回可能に支持するブラケット部１１１とよりなり、円筒部１１０とブラケット部１１１とは、正面視或いは側面視して逆Ｕ字状に連結一体とされている。転がり軸受１２，１２は、いずれも１列の深溝ラジアル玉軸受からなり、図例では、円筒部１１０の固定支軸１０に対する嵌装部分の上下部位に配設されている。後記する回り止め部材（ブレーキ部材１３、ストッパ部材１４）が存在しない場合には、接続部材１１は、転がり軸受１２，１２によって、固定支軸１０に対してその軸心の回りに回動可能な嵌装状態とされる。この回動を阻止するための回り止め部材として、図例ではブレーキ部材１３及びストッパ部材１４が用いられている。
前記固定支軸１０及び接続部材１１の円筒部１１０のそれぞれの上端部は開口しており、この開口部より前記無影灯装置６のハンガーアーム６０の基部が嵌装され、水平旋回可能に支持されている。このハンガーアーム６０の支持構造の詳細についての説明は割愛する。また、固定支軸１０及び垂直支柱４０は、いずれも中空体であり、この中空部内には、前記無影灯６１の電源供給電線、更には顕微鏡本体３１による画像を電気的に処理して取り出す場合にはその伝送用電線等、が内装される。そして、これら電線は、接続部材１１及びハンガーアーム６０，３０内を経て、それぞれ、無影灯６１及び顕微鏡本体３１に配線接続される。
【００２１】
ブレーキ部材１３は、図３、図４及び図５に示すように、筒状の六角穴付雄ねじ部材１３１と、該六角穴付雄ねじ部材１３１の先側の内筒部１３１ａに圧入一体とされる断面Ｔ字形の樹脂製ブレーキパッド部材１３２と、雄ねじ部材１３１とブレーキパッド部材１３２との間に圧縮状態で介在される１個の平ワッシャ１３３と、２個の皿ばね１３４，１３４とよりなる。前記接続部材１１の円筒部１１０の筒壁には、径方向の雌ねじ孔１１０ａが貫設され、前記雄ねじ部材１３１が、前記内筒部１３１ａに連通する六角穴１３１ｂに、六角レンチ（不図示）を作用させることによって、この雌ねじ孔１１０ａに螺合される。前記固定支軸１０の周面には、座ぐり加工によってフラット面１０１が形成され、前記雌ねじ孔１１０ａに雄ねじ部材１３１をして螺合されたブレーキ部材１３は、前記ブレーキパッド部材１３２を介してこのフラット面１０１に圧接された状態とされる。ブレーキパッド部材１３２のフラット面１０１に対する圧接に伴う樹脂部材特有の制動作用によって、接続部材１１の固定支軸１０に対する軸回転が阻止される。この圧接力は、雄ねじ部材１３１の雌ねじ孔１１０ａに対する螺合度合いによって調整され、従って、雄ねじ部材１３１及び雌ねじ孔１１０ａが、圧接度合いの調整手段として位置付けられる。また、前記２個の皿ばね１３４，１３４は、圧縮されることによりブレーキパッド部材１３２に圧縮反力によるフリクション機能を付与し、ブレーキパッド部材１３２の前記制動作用の発現がより的確になされる。
【００２２】
ストッパ部材１４は、図３、図６及び図７に示すように、リング部材１４１と、該リング部材１４１を固定支軸１０に固定するための六角穴ボルト１４２と、リング部材１４１の外周に嵌装されるゴム製Ｏリング１４３とよりなる。リング部材１４１の周体にはＯリング溝１４１ａが形成され、Ｏリング１４３は、内径側部分がこのＯリング溝１４１ａに嵌り込んだ状態でリング部材１４１の外周に嵌装される。リング部材１４１の内筒部は、小径部１４１ｂと大径部１４１ｃとが同心的に連通してなり、小径部１４１ｂの内径は前記六角穴ボルト１４２の胴部１４２ａを遊挿し得るも、頭部１４２ｂを挿通し得ない大きさとされ、小径部１４１ｂは雌ねじ孔とされている。また、大径部１４１ｃの内径は、前記六角穴ボルト１４２の頭部１４２ｂの外径よりやや大とされている。接続部材１１の前記円筒部１１０には、径方向に貫通する透孔１１０ｂが形成されており、この透孔１１０ｂの内径は、前記リング部材１４１の外径よりやや大とされている。また、この透孔１１０ｂと対向する固定支軸１０の周面には、前記リング部材１４１の外径よりやや大きい内径の座ぐり部１０２が形成され、さらにこの座ぐり部１０２の底部中央には、前記六角穴ボルト１４２を螺合し得る雌ねじ孔１０３が形成されている。
【００２３】
このように構成されたストッパ部材１４は、前記Ｏリング１４３を装着したリング部材１４１を、前記透孔１１０ｂにＯリング１４３が圧縮された状態で圧入し、前記六角穴ボルト１４２を、リング部材１４１の内筒部に挿通し、六角穴１４２ｃに六角レンチ（不図示）を作用させて前記雌ねじ孔１０３に螺合することによって固定される。この固定状態では、リング部材１４１の先端部が前記座ぐり部１０２に嵌り込み、ストッパ部材１４が接続部材１１と固定支軸１０とに跨った状態とされ、これによって、接続部材１１の固定支軸１０に対する軸回転が阻止される。そして、ストッパ部材１４のこのような装着状態では、リング部材１４１と接続部材１１の前記透孔１１０ｂとの間にＯリング１４３が圧縮された状態で介在する。従って、Ｏリング１４３が防振ゴムの役割を果たし、固定支軸１０からの振動がストッパ部材１４を介して接続部材１１に伝達することが防止される。
ストッパ部材１４を取外す際は、先ず、六角穴ボルト１４２を緩めて取り出すが、この状態では、前記Ｏリング１４３のフリクション力が作用しており、リング部材１４１はまだ透孔１１０ｂに保持された状態とされる。そのため、前記雌ねじ孔１４１ｂと同径の雄ねじ部材（不図示）を、該前記雌ねじ孔１４１ｂに螺合させ、その先端を前記座ぐり部１０２に当接させ、前記フリクション力を超える反作用力によって、リング部材１４１を雄ねじ部材と共に取り出すことできる。
【００２４】
前記のような支持構造の歯科用顕微鏡装置３を備えた歯科用診療装置１においては、無影灯装置６を操作したり、アシスタント側のインスツルメントホルダ９を引き出し、或いは、アシスタント用インスツルメント９１を取り出し（ピックアップ）したりすると、垂直支柱４０及び固定支軸１０に振動が発生する。而して、垂直支柱４０と歯科用顕微鏡装置３との間には、前記のような固定支軸１０と接続部材１１との嵌装接続構造が存在するから、垂直支柱４０及び固定支軸１０の振動は、前記深溝ラジアル玉軸受（転がり軸受）１２によって遮断され、接続部材１１への伝達が抑制される。従って、歯科用顕微鏡装置３の顕微鏡本体３１には振動が至らず、顕微鏡本体３１による正常な顕微鏡観察を実施することができる。また、固定支軸１０と接続部材１１とには、ブレーキ部材１３及びストッパ部材１４による回り止め部材が設けられているから、接続部材１１が固定支軸１０に対して軸回転することなく支持される。そして、接続部材１１に装着されるブレーキ部材１３が固定支軸１０の周面に圧接されるから、そのフリクション作用によって、固定支軸１０の振動が接続部材１１に直接伝わらず、特に、樹脂からなるブレーキパッド部材１３２と、圧縮状態の皿ばね１３４の存在により、フリクション作用がより効果的に発現される。加えて、ストッパ部材１４が、接続部材１１と固定支軸１０とに跨るように装着されているから、接続部材１１の固定支軸１０に対する軸回転が確実に阻止される。また、Ｏリング１４３が接続部材１１との装着部との間に弾性緩衝部材として介在するから、前記ブレーキ部材１３のフリクション作用とも相俟って、前記垂直支柱４０からの振動があった場合や、顕微鏡本体３１を手で操作し被写体の位置に位置付ける場合等において、顕微鏡本体３１がガタツキ等を生じず、速やかに静止し、顕微鏡観察診療の効率化が図られる。
尚、本実施形態では、回り止め部材として、ブレーキ部材１３及びストッパ部材１４を併用しているが、どちらか一方を用いるようにしても良い。
【００２５】
図８は、回り止め部材の他の実施形態を示している。即ち、本実施形態の回り止め部材はストッパ機能部をさらに備えたブレーキ部材１５からなる。該ブレーキ部材１５の主たる構成は、前記ブレーキ部材１３とほぼ同様であり、六角穴１５１ｂを有する筒状の雄ねじ部材１５１と、該六角穴雄ねじ部材１５１の先側の内筒部１５１ａに圧入一体とされる樹脂製のブレーキパッド部材１５２と、雄ねじ部材１５１とブレーキパッド部材１５２との間に圧縮状態で介在される１個の平ワッシャ１５３と、３個の皿ばね１５４…とよりなる。そして、ブレーキパッド部材１５２の先端部、平ワッシャ１５３、及び皿ばね１５４のそれぞれの外径を、前記例のブレーキパッド部材１３２の先端部、平ワッシャ１３３、及び皿ばね１３４のそれぞれの外径より大としている。また、固定支軸１０の周面には、前記雄ねじ部材１５１の外径よりやや大きい内径の座ぐり部１０３が底面がフラットになるよう形成され、前記雄ねじ部材１５１の先端部１５１ｃが嵌り込み得るようになされている。これによってストッパ機能部を構成する。更に、ブレーキパッド部材１５２の先端部表面には、セレーションのような細かな凹凸加工１５２ａが施されている。その他の構成は、前記ブレーキ部材１３と同様である。
【００２６】
このようなブレーキ部材１５は、前記と同様に接続部材１１の円筒部１１０に形成された雌ねじ孔１１０ａに雄ねじ部材１５１を螺合することによって装着され、基本的には前記ブレーキ部材１３と同様の機能を奏する。この例のブレーキ部材１５は、雄ねじ部材１５１の先端部１５１ｃがこれよりやや径大の座ぐり部１０３に嵌り込むことによって、接続部材１１と固定支軸１０とに跨って装着されることになり、これによってストッパ機能も奏する。また、ブレーキパッド部材１５２の先端部の外径が前記ブレーキパッド部材１３２の外径より大きく、加えて、ブレーキパッド部材１５２の表面に凹凸加工１５２ａが施されていることにより、座ぐり部１０３の底面に対する圧接による制動作用もより強く発揮される。更に、皿ばね１５４が前記例より多く組み込まれていることにより、前記フリクション作用もより効果的に発現される。この例の場合も、ブレーキパッド部材１５２の前記座ぐり部１０３の底面に対する圧接力は、雄ねじ部材１５１の雌ねじ孔１１０ａに対する螺合度合いによって調整され、従って、雄ねじ部材１５１及び雌ねじ孔１１０ａが、圧接度合いの調整手段として位置付けられる。
【００２７】
図９は、前記ブレーキ部材１５を用いた場合の固定支軸１０と接続部材１１との嵌装接続構造の一例を示す分解図である。この例では、回り止め部材としてストッパ機能を備えたブレーキ部材１５のみを用い、前記例の深溝ラジアル玉軸受１２よりスラスト方向に長い複数列の深溝ラジアル玉軸受（或いは、針状ころ軸受）１２Ａを１個用いている。この例でも、固定支軸１０と接続部材１１との嵌装接続関係による作用効果が同様に発揮される。このような深溝ラジアル玉軸受（或いは、針状ころ軸受）１２Ａは、スラスト方向の幅広い範囲で前記のような振動遮断機能を奏するもので、図３の例で、回り止め部材として、ブレーキ部材１３及びストッパ部材１４のどちらか一方のみを採用する場合にも用いることができる。
【００２８】
図１０は、歯科用顕微鏡装置３の第２の実施形態を示し、固定支軸１０が、診療台が設置される診療室の天井Ｔから垂下される垂直支柱４０Ａに設けられ、この固定支軸１０に接続部材１１が嵌装接続されている。この場合、接続部材１１は固定支軸１０に対して、前記と同様の上下の深溝ラジアル玉軸受１２，１２を介して下から嵌装される。接続部材１１の脱落を防止するため、接続部材１１が固定支軸１０に嵌装された状態で支持ナット１１２が、固定支柱１０の下端に形成された雄ネジ部１０４に螺合されている。そして、歯科用顕微鏡装置３を構成するハンガーアーム３０が、前記と同様に接続部材１１に水平旋回可能に支持され、診療台上の患者の患部を観察し得る位置に顕微鏡本体３１を位置付けることが可能とされている。また、接続部材１１と固定支軸１０との嵌装接続構造においては、図２及び図３に示す例と同様の回り止め部材（ブレーキ部材１３及びストッパ部材１４）によって接続部材１１の固定支軸１０に対する軸回転が防止されるよう構成されている。従って、接続部材１１及び固定支軸１０には、これらブレーキ部材１３及びストッパ部材１４に関係する雌ねじ孔１１０ａ、透孔１１０ｂ、座ぐり部１０１，１０２も同様に形成されている。このように天井Ｔに歯科用顕微鏡装置３が取付けられている場合、エアコンその他の機器の振動が、垂直支柱４０Ａを介して固定支軸１０に伝達されるが、固定支軸１０と接続部材１１との前記と同様の嵌装接続構造によって、歯科用顕微鏡装置３に対する振動の伝達が前記と同様に抑制される。
歯科用顕微鏡装置３のその他の構成は前記例と同様であるので、共通部分に同一の符号を付して、その説明及び一部図示を省略する。また、図例では、無影灯を垂直支柱４０Ａに支持させていないが、支持させるよう構成しても良い。
【００２９】
図１１は、歯科用顕微鏡装置３の第３の実施形態を示し、固定支軸１０が、診療台が設置される診療室の床面Ｆ上を移動自在に配備される移動備品４００に設けられる垂直支柱４０Ｂの上端に一体に設けられ、この固定支軸１０に図２及び図３の例と同様に接続部材１１が嵌装接続されている。そして、接続部材１１には、歯科用顕微鏡装置３を構成するハンガーアーム３０が、前記と同様に接続部材１１に水平旋回可能に支持されている。この例では、歯科用顕微鏡装置３を使用する際、移動備品４００を、床面Ｆ上を移動させることによって、歯科用顕微鏡装置３を観察対象位置に位置付けることができ、不使用時には他の診療作業の邪魔にならない位置に待機させることができる。このように床面Ｆ上を移動自在とされている場合、移動備品４００の移動時の振動や床面Ｆ上の人の歩行等によって垂直支柱４０Ｂに振動が発生するが、固定支軸１０と接続部材１１との前記と同様の嵌装接続構造によって、歯科用顕微鏡装置３に対する振動の伝達が前記と同様に抑制される。図例では、移動備品４００が歯科用顕微鏡装置３の専用のものとして示しているが、これに限らず器具や薬品を収納し得る移動式キャビネットとして、これに前記垂直支柱４０Ｂを設けたものであっても良い。
歯科用顕微鏡装置３の構成は、前記例と同様であるので、共通部分に同一の符号を付して、その説明及び一部図示を省略する。また、図例では、無影灯を垂直支柱４０Ｂに支持させていないが、この場合も、支持させるよう構成しても良い。
【００３０】
図１２は、歯科用顕微鏡装置３の第４の実施形態を示し、固定支軸１０が、診療台が設置される診療室の壁面Ｗに取付けられる取付部材４０１に一体に設けられ、この固定支軸１０に図２及び図３の例と同様に接続部材１１が嵌装接続されている。図例では、取付部材４０１に、鉛直方向に向く筒型の端寸垂直支柱４０Ｃが設けられ、該端寸垂直支柱４０Ｃに固定支軸１０が上方より嵌合され一体に固着されている。そして、接続部材１１には、歯科用顕微鏡装置３を構成するハンガーアーム３０が、前記と同様に接続部材１１に水平旋回可能に支持されている。このように壁面Ｗに歯科用顕微鏡装置３が取付けられている場合、エアコンその他の機器の振動が、取付部材４０１及び端寸垂直支柱４０Ｃを介して固定支軸１０に伝達されるが、固定支軸１０と接続部材１１との前記と同様の嵌装接続構造によって、歯科用顕微鏡装置３に対する振動の伝達が前記と同様に抑制される。
歯科用顕微鏡装置３の構成は、前記例と同様であるので、共通部分に同一の符号を付して、ここでもその説明及び一部図示を省略する。また、図例では、無影灯を端寸垂直支柱４０Ｃに支持させていないが、この場合も、支持させるよう構成しても良い。
【００３１】
尚、前記の各実施形態では、歯科用顕微鏡装置及び歯科用診療装置を例示したが、耳鼻科用、眼科用等のその他の医療用顕微鏡装置及び医療用診療装置にも本発明が適用可能である。また、転がり軸受として、深溝ラジアル玉軸受、或いは針状ころ軸受を例示したが、アンギュラ玉軸受、自動調心玉軸受、円筒ころ軸受、円錐ころ軸受、自動調心ころ軸受、スラスト玉軸受、スラストアンギュラ玉軸受、スラスト円筒ころ軸受等であっても良い。この場合、ラジアル軸受とスラスト軸受を併用することも可能である。更に、スラスト軸受の代わりに、摩擦係数の小さい樹脂で作られたブッシュ等を用いても良い。更にまた、歯科用顕微鏡装置を構成するハンガーアームの構造も図例のものに限定されず、他の構造のものであっても良い。加えて、図８に示す回り止め部材は、ブレーキ部材にストッパ機能部を付加したものであるが、ストッパ部材にブレーキ機能部を付加したものも採用可能である。更に、ブレーキ部材１３として、固定支軸１０の周面に１箇所でスポット的に圧接する例を述べたが、周方向の複数個所で圧接するもの、或いは、固定支軸１０の周面に巻回されるベルト状の部材を締め付けることによって全周において圧接するもの等も採用可能である。
【符号の説明】
【００３２】
１                          歯科用（医療用）診療装置
２                          歯科用（医療用）診療台
３                          歯科用（医療用）顕微鏡装置
３０                        ハンガーアーム
３１                        顕微鏡本体
１０                        固定支軸
１１                        接続部材
１２，１２Ａ                転がり軸受
１３                        ブレーキ部材（回り止め部材）
１３１                      雄ねじ部材（調整手段）
１５１                      雄ねじ部材（調整手段）
１１０ａ                    雌ねじ孔（調整手段）
１４                        ストッパ部材（回り止め部材）
１５                        ストッパ機能部を備えるブレーキ部材（回り止め部材）
１５１ｃ                    ストッパ機能部
４０，４０Ａ，４０Ｂ        垂直支柱
４００                      移動備品
４０１                      取付部材
Ｔ                          天井
Ｆ                          床面
Ｗ                          壁面
【図１】
0005723745.tif 000002
【図２】
0005723745.tif 000003
【図３】
0005723745.tif 000004
【図４】
0005723745.tif 000005
【図５】
0005723745.tif 000006
【図６】
0005723745.tif 000007
【図７】
0005723745.tif 000008
【図８】
0005723745.tif 000009
【図９】
0005723745.tif 000010
【図１０】
0005723745.tif 000011
【図１１】
0005723745.tif 000012
【図１２】
0005723745.tif 000013